(57)【要約】【課題】  操作しやすく、したがって、誤操作を起こしにくく、長時間ゲームを行っても疲労が少ないゲーム機用コントローラの提供。【解決手段】  ケース本体部５の前面両側部から前方に向けて一対の握り部６を突出し、ケース本体部５の上面に複数の操作部を設ける。握り部６の基端面１１を、ケース本体部５の下面から突出させると共に、ケース本体部５の背面よりも後退させ、握り部６の基端面１１に下部操作ボタン１２，１３を設置すると共に、これらの上方であってケース本体部５の背面両側部に上部操作ボタン１４，１５を設置してある。【選択図】          図２
0003108313.tif 000002
【実用新案登録請求の範囲】
【請求項１】
ケース本体部の前面両側部から前方に向けて一対の握り部を突出し、ケース本体部の上面に複数の操作部を設けたゲーム機用コントローラであって、握り部の基端面をケース本体の下面よりも突出させると共にケース本体部の背面よりも後退させ、これら握り部の基端面にコントローラが備える操作ボタンの一つである下部操作ボタンを設置し、下部操作ボタンの上方において、ケース本体の背面両側部に同コントローラが備える操作ボタンの一つである上部操作ボタンを設置したことを特徴とするゲーム機用コントローラ。
【請求項２】
左右の握り部はその前後方向の軸線を前面から背面側へ狭くなるように配置されており、下部操作ボタンの操作方向は、握り部の軸線方向に沿った前後方向としてあることを特徴とした請求項１に記載のゲーム機用コントローラ。
【考案の詳細な説明】
【技術分野】
【０００１】
本考案は、両手で握って操作ボタン等を操作することによりゲームを行うゲーム機用コントローラに関する。
【背景技術】
【０００２】
一般的に、両手で握って操作するゲーム機用コントローラは、上ケースと下ケースとを組み付けて成る中空のケースを有する。ケースの両側には、手前へ延びる握り部を一体に設け、ケース本体部の内部には、回路基板、ＬＥＤ、ブザー、バイブレータ、導線等を収納してある。
握り部には様々な形状があるが、ケース本体部から先端側（手前）に向かって次第に下がるようやや傾斜した桿状のものも多く、プレー中は、掌、薬指及び小指で握るようになっている。
また、ケース本体部の上面には、握り部を握った状態で、親指により操作する複数の操作部を設ける。操作部としては、上面中央部に設置したスタートボタン、上面両側部にそれぞれ設置した複数のスイッチ群等がある。これらを総称して操作ボタンとする。
【０００３】
さらに、従来のゲーム機用コントローラには、ケース本体部の背面側において、両側の側壁寄りに、人差し指で操作する第１操作ボタンと、中指で操作する第２操作ボタンとを上下に並べて設置したものがある（特許文献１参照）。
しかし、このようなゲーム機用コントローラは、ケース本体部背面の狭いスペースに二つの操作ボタンを並べてあるので、操作ミスを起こす虞があり、また、握り部を握った薬指と、操作ボタンを操作する中指とを大きく開かなければならないため、手が緊張して長時間ゲームを続けると疲労しやすい。また、第１操作ボタンと第２操作ボタンの双方を交互に人差し指など１本の指で操作するときは、第１操作ボタンと第２操作ボタン間の上下間隔が狭いために、誤操作しやすい。
【０００４】
【特許文献１】特開２００２−２６３３６５号公報
【考案の開示】
【考案が解決しようとする課題】
【０００５】
本考案が解決しようとする課題は、操作しやすく、したがって、操作ミスを起こしにくく、長時間ゲームを行っても手が疲労しにくいゲーム機用コントローラの提供にある。
【課題を解決するための手段】
【０００６】
本考案のゲーム機用コントローラは、ケース本体部の前面両側部から前方（手前）に向けて一対の握り部を突出し、ケース本体部の上面に複数の操作部を設けてある。握り部の基端面をケース本体部の背面よりも後退させると共に、両側の握り部の基端面にこのコントローラが備える操作ボタンの一つである下部操作ボタンを設置する。下部操作ボタンの上方において、ケース本体部の背面両側部に同コントローラの操作ボタンの一つである上部操作ボタンを設置してある。
ケース本体部及び握り部から成るケースは合成樹脂を素材とし、ケース本体部は横長で扁平な箱状に形成してある。
ケース本体部の上面に設けた操作部としては、スタートボタン、十文字形の操作スイッチ、複数のスイッチ群から成る操作スイッチ、旋回可能な操作桿等がある。これらを操作ボタンと総称する。
【０００７】
ケース本体部から一体に延びる握り部は、先端側（手前側）が下がるよう緩やかに傾斜し、滑らかに湾曲した断面を有する。また、握り部の基部下半部はケース本体部の下面から突出している。
そして、握り部の基端面は、ケース本体部の下面に対してほぼ直交し、両側の基端面間の距離が背面側において手前側よりも広くなるよう傾斜している。この基端面には、前記の下部操作ボタンが取付けられ、握り部の軸線方向に沿って前後方向へ移動（操作）可能に取り付けてある。
一方、上部操作ボタンは、ケース本体部の背面に対して前後方向へ移動可能に取り付けてある。
【考案の効果】
【０００８】
本考案によれば、ケース本体部の背面側において上下に並んだ上部操作ボタン及び下部操作ボタンを、前後方向に位置をずらした二つの面にそれぞれ設置した構造となるので、下部操作ボタンと上部操作ボタンとの間に充分な間隔があり、２本の指で操作するにしても、一本の指で操作するにしても、誤操作を起こしにくい。
また、下部操作ボタンと上部操作ボタンを２本の指で操作するとき、中指で操作する下部操作ボタンが薬指による握り部分に接近するので、操作中に中指と薬指との間を大きく開く必要が無く、このため手の緊張が緩んで、長時間ゲームを続けても手が疲労しにくい。下部操作ボタンの操作方向は、握り部の軸線方向に沿った前後方向なので、握り部を把持している手の人差し指あるいは中指による操作方向として自然であり、操作しやすい。
左右の握り部はその前後方向の軸線を前面から背面側へ狭くなるように配置されることがある。
【考案を実施するための最良の形態】
【０００９】
図１に示すように、本考案のゲーム機用コントローラは中空のケース１を備える。ケース１は、上ケース２、下ケース３、及び左右の側板部４を組み付けて成り、横長で扁平なケース本体部５と、ケース本体部５の前面両側部から前方に向けて一体に突出した一対の握り部６とを有する。
上ケース２及び下ケース３の殆どの部分は透明合成樹脂を素材とし、握り部６の外側面を形成する側板部４は不透明な合成樹脂を素材としている。
また、ケース本体部５の内部には、回路基板、ＬＥＤ、ブザー、バイブレータ、導線等を収納してある。
【００１０】
ケース本体部５の上面に複数の操作部を設ける。操作部としては、ケース本体部５の上面中央部に設置したスタートボタン７と、左右両側に設置した第１操作スイッチ８及び第２操作スイッチ９と、第１操作スイッチ８及び第２操作スイッチ９よりやや前方中央寄りに旋回可能に設置した一対の操作桿１０とがある。
第１操作スイッチ８は、十文字状の平面形状を有し、ケース本体部５に形成した十文字形の孔へ上下動可能に、且つ、上方へ付勢して嵌合してある。
第２操作スイッチ９は、ケース本体部５に形成した透孔へ上下動可能に、且つ、上方へ付勢して取り付けた４個のボタンより成る。これらには、操作上の識別のために、異なる４種のマークを付してある。
【００１１】
握り部６は、先端に近付くほど下がるよう緩やかに傾斜しており、握りやすいように先端部が細い湾曲した断面を有する（図３）。また、左右の握り部６はその前後方向の軸線を前面から背面側へ狭くなるように配置されている。
握り部６の基部下半部はケース本体部５の下面から突出し、握り部６の基端面１１は、ケース本体部５の下面に対してほぼ直交すると共に、ケース本体部５の背面よりも手前側へ後退している。また、握り部６の基端面１１は、両側の基端面１１間の距離が手前側よりも背面側において幅広くなるよう傾斜している（図２）。
左右の握り部６の基端面には、それぞれ左右の下部操作ボタン１２，１３を設ける。下部操作ボタン１２，１３は、握り部の前後方向軸の方向で移動可能に、且つ、背面側へ付勢して取り付けてある。
【００１２】
一方、左右の下部操作ボタン１２，１３の上方において、ケース本体部５の背面両側部にそれぞれ左右の上部操作ボタン１４，１５を設置する（図４）。
上部操作ボタン１４，１５は、ケース本体部５の背面に形成した孔へ前後方向で移動可能に、且つ、背面側へ付勢して取付けてある。
従って、上部操作ボタン１４，１５を設けた面と、下部操作ボタン１２，１３を設けた面とは前後方向に位置がずれるので、急激に操作しても誤操作を起こしにくい。
また、握り部６を握る薬指と、下部操作ボタン１２，１３を操作する中指との距離が狭くなるので、長時間ゲームを続けても手が疲労しにくい。
左右の握り部６の軸線を前面から背面側へ狭くなるように配置しているので、握り部６を支持した手の人差し指あるいは中指による操作方向と前記握り部６の軸線の方向が一致しており、これにより、人差し指あるいは中指の運動方向が自然なので、下部操作ボタンを操作しやすく、疲れない。
【図面の簡単な説明】
【００１３】
【図１】本考案の実施例を示すゲーム機用コントローラの斜視図。
【図２】本考案の実施例を示すゲーム機用コントローラの下面図。
【図３】本考案の実施例を示すゲーム機用コントローラの側面図。
【図４】本考案の実施例を示すゲーム機用コントローラの背面図。
【符号の説明】
【００１４】
１  ケース
２  上ケース
３  下ケース
４  側板部
５  ケース本体部
６  握り部
７  スタートボタン
８  第１操作スイッチ
９  第２操作スイッチ
１０  操作桿
１１  基端面
１２，１３  下部操作ボタン
１４，１５  上部操作ボタン
【図１】
0003108313.tif 000003
【図２】
0003108313.tif 000004
【図３】
0003108313.tif 000005
【図４】
0003108313.tif 000006